(57)【要約】  本発明は、ＭＲＴシステムの様々な負荷状況をフレキシブルかつ効率的に考慮できるようにするために、増幅装置のための閉ループ制御回路を備えた２チャネル型磁気共鳴トモグラフィシステムに関する。これによれば、無負荷測定によりＭＲＴシステムを個々の負荷状況に合わせて事前に調整することで、ＭＲＴ測定を著しく改善することができる。オプションとして、この整合をＭＲＴ測定中も実施できる。閉ループ制御回路によって、まったく異なる多数の負荷状況を最適化して考慮することができる。
2014528296.tif 000002
【特許請求の範囲】
【請求項１】
２チャネル型磁気共鳴トモグラフィシステムのための増幅装置の設定方法において、
前記増幅装置を、負荷状況に依存して閉ループ制御回路により整合することを特徴とする、
増幅装置の設定方法。
【請求項２】
前記閉ループ制御回路は、前記増幅装置の出力信号のフィードバックを有しており、たとえば前記増幅装置の入力端へのフィードバックを有する、請求項１記載の方法。
【請求項３】
前記フィードバックにおいて前記出力信号の遅延を行う、請求項２記載の方法。
【請求項４】
前記増幅装置に基づき負荷状況を求め、該負荷状況に応じて前記２チャネル型磁気共鳴トモグラフィシステムの少なくとも１つのコントローラを設定する、請求項１から３のいずれか１項記載の方法。
【請求項５】
前記少なくとも１つのコントローラは、前記増幅装置の適切な増幅率を設定するために、負荷に依存するフィードフォワードコントローラを含む、請求項４記載の方法。
【請求項６】
前記少なくとも１つのコントローラは負荷に依存する別のコントローラを含み、該別のコントローラは４つのＳＩＳＯ型ＰＩコントローラを有する、請求項４または５記載の方法。
【請求項７】
前記信号を前記増幅装置の上流で分離する、請求項１から６のいずれか１項記載の方法。
【請求項８】
前記負荷状況を
患者のサイズ、
患者の体重、
検査すべき領域または器官、
検査台のポジション、
ＭＲＴ測定を実施するボディコイルのポジション、
検査台に対し相対的な患者のポジション、
のうち少なくとも１つのパラメータに基づき求める、
請求項１から７のいずれか１項記載の方法。
【請求項９】
前記増幅装置の設定を無負荷測定中に実施する、請求項１から８のいずれか１項記載の方法。
【請求項１０】
前記無負荷測定後、患者とともにＭＲＴ測定を実施する、請求項９記載の方法。
【請求項１１】
前記ＭＲＴ測定において前記閉ループ制御回路を整合する、請求項１０記載の方法。
【請求項１２】
前記負荷状況を前記無負荷測定によって求める、請求項９から１１のいずれか１項記載の方法。
【請求項１３】
２チャネル型磁気共鳴トモグラフィシステムの駆動装置において、
増幅装置が設けられており、
該増幅装置は、負荷状況に応じて閉ループ制御回路により整合される、
ことを特徴とする、
２チャネル型磁気共鳴トモグラフィシステムの駆動装置。
【請求項１４】
前記閉ループ制御回路は、前記増幅装置の出力信号のフィードバックを有し、たとえば前記増幅装置の入力端へのフィードバックを有する、請求項１３記載の装置。
【請求項１５】
前記閉ループ制御回路のフィードフォワード分岐中に、少なくとも１つのコントローラが設けられており、該コントローラにより前記増幅装置の増幅率が設定され、該コントローラにより前記増幅装置の定常化時間が設定される、請求項１３または１４記載の装置。
【請求項１６】
請求項１３から１５のいずれか１項記載の装置を備えた２チャネル型磁気共鳴トモグラフィシステム。
【発明の詳細な説明】
【技術分野】
【０００１】
本発明は、２チャネル型磁気共鳴トモグラフィシステム用の増幅装置の設定方法、ならびに２チャネル型磁気共鳴トモグラフィシステムの制御装置に関する。
【０００２】
磁気共鳴トモグラフィ（ＭＲＴ略してＭＲとも称する；英語ではMagnetic Resonance Imagingを略してMRI）は、とりわけ医療診断において体内の組織および器官の構造と機能を表示させるために用いられる画像生成方法である。これは物理的に核スピン共鳴の原理に基づくものであり、ゆえに核スピントモグラフィとも称する。一般的な事項に関する詳細は、たとえばhttp://de.wikipedia.org/wiki/Magnetresonanztomographieを参照されたい。
【０００３】
ＭＲＴによって人間（または動物）の体部の断層画像を生成することができ、これによって器官と病気に冒された多くの器官変化の判定を行うことができる。磁気共鳴トモグラフィは、強い磁界と無線周波数領域の交番電磁界に基づくものであり、これらによって体内の特定の原子核（たいていは水素原子核／プロトン）が共鳴して励起され、それによって受信電流回路内で電気信号が誘導される。この装置の場合、負担となるレントゲン放射あるいは他のイオン化作用のある放射は発せられないし用いられない。画像コントラストの基本となるのは、種々の組織形態で緩和時間がそれぞれ異なる、ということである。そのほか、種々の組織（たとえば筋肉、骨など）における水素原子の含有量が異なることも、画像コントラストの形成に寄与する。
【０００４】
本願で提案されるアプローチは特に、ＭＲＩにおいて使用されるような無線周波数電力増幅器システム（ＲＦＰＡシステムとも呼ばれ、これはRadio Frequency Power Amplifierのことである）のために電圧調整を行う電圧調整方法もしくは電圧調整装置に関するものである。
【０００５】
本発明の課題は、ＭＲＴ技術を改善し、特にそれぞれ異なる負荷状況（患者、器官、ポジション）に合わせて、フレキシブルに最適化できるようにすることである。
【０００６】
この課題は、独立請求項の特徴により解決される。従属請求項には有利な実施形態が示されている。
【０００７】
上述の課題を解決するため、２チャネル型磁気共鳴トモグラフィシステムのための増幅装置の設定方法において、増幅装置が負荷状況に応じて閉ループ制御回路により整合される。
【０００８】
このようにしてＲＦ励起信号を安定化させることができ、様々な負荷状況に合わせてフレキシブルな最適化を達成することができる。
【０００９】
有利には増幅装置は、磁気共鳴トモグラフィシステムの各チャネルごとに固有の増幅器を有している。
【００１０】
本発明によるアプローチによれば、２チャネル型磁気共鳴トモグラフィシステムを個々の負荷状況に合わせて固有に較正することができ、これによって負荷状況に好適な設定を利用できるようになる。このことで測定結果が著しく改善され、複数のボディコイルを投入可能である点を考慮しても、２チャネル型磁気共鳴トモグラフィシステムのフレキシビリティが高められる。
【００１１】
さらにこのことで、まったく異なる負荷状況が発生することを考慮しても、決められた規定（予め定められた最大の、厳密な、もしくは適切な増幅率を遵守した高速な定常化時間）を満たすことが、同様に可能となる。
【００１２】
１つの実施形態によれば、閉ループ制御回路は、増幅装置の出力信号のフィードバックを有しており、たとえば増幅装置の入力端へのフィードバックを有している。
【００１３】
コントローラ（制御素子）を設定するために、閉ループ制御回路のフィードフォワード分岐中にフィードバックを組み込むことができる。
【００１４】
さらに別の実施形態によれば、フィードバックにおいて出力信号の遅延が行われる。
【００１５】
このためにたとえば遅延素子を設けることができる。
【００１６】
たとえば１つの実施形態によれば、増幅装置に基づき負荷状況が求められ、この負荷状況に応じて２チャネル型磁気共鳴トモグラフィシステムのコントローラが設定される。
【００１７】
特に測定に基づき、たとえば無負荷測定（閉ループ制御されない測定）に基づき、負荷状況の種類もしくは負荷状況の少なくとも１つのパラメータを求める（たとえば推定する）ことができる。
【００１８】
さらに１つの実施形態によれば、少なくとも１つのコントローラは、増幅装置の適切な増幅率（特に最大増幅率または厳密な増幅率）を設定するために、負荷に依存するフィードフォワードコントローラを含んでいる。
【００１９】
負荷に依存するフィードフォワードコントローラを用いることによって、増幅装置の増幅率を設定もしくは閉ループ制御することができる。特にこのようにして保証できるのは、予め定められた最大増幅率を超えない、ということである。
【００２０】
さらに１つの実施形態によれば、少なくとも１つのコントローラは負荷に依存する別のコントローラを含んでおり、これは４つのＳＩＳＯ型ＰＩコントローラを有している。
【００２１】
たとえば負荷に依存する両方のコントローラは、互いに並列に接続されている。４つのＳＩＳＯ型ＰＩコントローラ（２チャネル型磁気共鳴トモグラフィシステムの１つのチャネルに対しそれぞれ２つのコントローラ）に基づき、定常化時間の加速ひいてはＭＲＴ撮影のタイムラグの改善を達成することができる。
【００２２】
付加的な実施形態によれば、信号が増幅装置の上流で分離される。
【００２３】
たとえば増幅装置の前段に、分離コンポーネントを接続することができる。たとえばこの分離コンポーネントに基づき、信号中のスタティックな成分が低減され、もしくは抑圧され、および／または予め定められた基準尺度に合わせて値のスケーリングが行われる。
【００２４】
別の実施形態によれば負荷状況は、
患者のサイズ、
患者の体重、
検査すべき領域または器官、
検査台のポジション、
ＭＲＴ測定を実施するボディコイルのポジション、
検査台に対し相対的な患者のポジション、
のうち少なくとも１つのパラメータに基づき求められる。
【００２５】
１つの実施形態によれば、増幅装置の設定は無負荷測定中に実施される。
【００２６】
無負荷測定（開ループ動作または開ループ測定とも称する）は有利には、増幅装置もしくは閉ループ制御回路の設定のための測定に関わるものである。これを負荷状況に応じて行うことができ、その際、たとえば患者がＭＲＴシステム内で予め定められたポジションをとるようにし、本来のＭＲＴ検査の前に測定を実施して、ついで行われる測定のためにＭＲＴシステムを最適化されたかたちで設定できるようにする。
【００２７】
１つの択一的な実施形態によれば、無負荷測定後に患者を伴うＭＲＴ測定が実施される。
【００２８】
別の実施形態によれば、ＭＲＴ測定において閉ループ制御回路が整合される。
【００２９】
ＭＲＴ測定中であっても閉ループ制御回路を整合することができ、このようにすることで取得された測定結果の品質を改善することができる。
【００３０】
さらに１つの実施形態によれば、負荷状況が無負荷測定によって求められる。
【００３１】
負荷状況を、無負荷測定中に求められたパラメータに依存して（いっしょに）求めることもできる。換言すれば、負荷状況を求め負荷状況に依存して閉ループ制御回路を整合する目的で、もしくは閉ループ制御回路を介して増幅装置を整合する目的で、無負荷測定中に求められたパラメータも使用することができる。
【００３２】
さらに既述の課題は、２チャネル型磁気共鳴トモグラフィシステムの駆動装置において、増幅装置が設けられており、この増幅装置は、負荷状況に応じて閉ループ制御回路により整合可能であることによっても解決される。
【００３３】
この目的で閉ループ制御回路を、たとえば既述の方法を実行できるように構成されたプロセッサユニットおよび／または少なくとも１つの部分的に固定配線された回路または論理回路として実装することができる。その際、いかなる種類のプロセッサまたは計算機またはコンピュータであっても、相応に必要とされる周辺機器（記憶装置、Ｉ／Ｏインタフェース、入出力機器等）とともに使用することができる。
【００３４】
方法について述べた既述の説明は、装置についても同様に当てはまる。この装置を、１つのコンポーネントとして実現することもできるし、あるいは複数のコンポーネントに分散させて実現することもできる。
【００３５】
１つの実施形態によれば、閉ループ制御回路は、増幅装置の出力信号のフィードバックを有しており、たとえば増幅装置の入力端へのフィードバックを有している。
【００３６】
さらに１つの実施形態によれば、閉ループ制御回路のフィードフォワード分岐中に、少なくとも１つのコントローラが設けられており、このコントローラにより増幅装置の増幅率が設定され、このコントローラにより増幅装置の定常化時間が設定される。
【００３７】
さらに既述の課題は、ここで述べた装置を含む２チャネル型磁気共鳴トモグラフィシステムによっても解決される。
【００３８】
さらにここで述べた解決手段にはコンピュータプログラム製品も含まれており、これはディジタルコンピュータのメモリにロード可能であり、既述の方法における各ステップの実施に適したプログラムコード部分を含んでいる。
【００３９】
さらに既述の課題は、以下のようなコンピュータ読み取り可能な記憶媒体たとえば任意の記憶装置によっても解決される。すなわちこの記憶媒体は、コンピュータにより実行可能な（たとえばプログラムコードの形態をとる）命令を含んでおり、それらの命令は、コンピュータがここで述べた方法の各ステップを実施するのに適したものである。
【００４０】
これまで述べてきた本発明固有の事項、本発明の特徴、利点ならびにその実現手法については、以下の実施例の説明を通していっそうはっきりと明確に理解できるようになる。次に、図面を参照しながらそれらの実施例について詳しく説明する。見やすくするため、ここでは同じ部材または同じ働きをする部材には同じ参照符号が付されている。
【図面の簡単な説明】
【００４１】
【図１】２チャネル型ＭＲＴシステムに使用するための、閉ループ制御される無線周波数電力増幅器（ＲＦＰＡ）を示すブロック図
【図２】２チャネル型ＭＲＴシステムの択一的な実施形態を示すブロック図
【００４２】
ＭＩＭＯシステム（英語：Multiple Input Multiple Output）とは、複数の入力端および複数の出力端もしくは複数の入力変量および複数の出力変量をもつシステムのことである。多変量システムという用語が使われる場合も多い。入力変量と出力変量をちょうど１つずつ有するシステムは、ＳＩＳＯ（英語：Single Input Single Output）とも呼ばれる。
【００４３】
ＲＦＰＡシステムには、無線周波数領域たとえば高周波領域の電力増幅器が含まれている。この場合、チャネルごとに無線周波数信号（ＲＦ信号とも称する）が増幅され、ＲＦ信号は特定の振幅と位相を有している。
【００４４】
以下で提案するのは、２チャネル型ＲＦＰＡシステムである。開ループ制御もしくは閉ループ制御の視点からすると、２チャネル型ＲＦＰＡシステムは４×４のＭＩＭＯシステムであり、このシステムは、調整可能なＲＦ信号の振幅ならびに位相のために、それぞれ２つのチャネルを有している。
【００４５】
図１には、２チャネル型ＭＲＴシステムに使用するための、閉ループ制御されるＲＦＰＡシステムのブロック図が示されている。
【００４６】
目標値または基準値ｓi（ただしｉ＝１〜４）が、負荷に依存するフィードフォワードコントローラ１０２へ供給される。さらに、遅延された出力値ｄi（ただしｉ＝１〜４）が目標値から減算され、その結果が値
ｇi = ｓi −ｄi    ただしｉ＝１〜４
として、負荷に依存するコントローラ１０１へ供給される。コントローラ１０１は、各チャネルｉごとに１つずつ、４つのＳＩＳＯ型ＰＩコントローラを有している。
【００４７】
ＰＩコントローラ（比例積分制御器とも称する）は、比例要素の部分と積分要素の部分とから成る。
【００４８】
コントローラ１０２の出力値ｆiがコントローラ１０１の出力値ｗiと組み合わせられて値ｋiが形成され、すなわち、
ｋi ＝ｗi ＋ｆi    ただしｉ＝１〜４
が形成され、これらの値は分離コンポーネント１０３へ供給される。たとえばこの分離コンポーネント１０３に基づき、信号ｋi中のスタティックな成分が低減され、もしくは抑圧され、および／または予め定められた基準尺度に合わせて値ｋiのスケーリングが行われる。
【００４９】
分離コンポーネント１０３はＲＦＰＡシステム１０４に関して分離を行う。換言すれば、ＲＦＰＡシステムの手前に分離コンポーネントを組み込むことにより、ＲＦＰＡシステムは機能的に互いに分離された４つのＳＩＳＯシステムに相応する。これに応じて分離システムの出力端から、値ｐiがＲＦＰＡシステム１０４へ供給される。
【００５０】
分離コンポーネント１０３はＲＦＰＡシステムの入出力を分離する。すなわち４つの入力信号の各々はＲＦＰＡシステムの４つの出力信号のうちの１つに対応し、これによって入力信号と出力信号との間に本来存在していた結合が低減され、もしくは（大幅に）削除される。このようにして４×４のＲＦＰＡシステムは、４つの１×１のサブシステムに分割される。この場合、たとえば４つの１×１のサブシステムの各々が同じ直流電圧増幅率を有するように、スケーリングが行われる。
【００５１】
分離コンポーネント１０３は、負荷状況に応じて定められる。これは次のようにして行われる。すなわちこの場合、閉ループ制御を一時的にスイッチオフし、目標電圧信号ｓ1，ｓ2，ｓ3，ｓ4となるように順々にステップを与えて、出力電圧ｕ1，ｕ2，ｕ3，ｕ4を定める。それらのステップ応答から、ＲＦＰＡシステムの直流電圧増幅率（４×４の行列）を決定することができる。最も簡単なケースでは、分離コンポーネント１０３は直流電圧増幅行列の反転である。別の選択肢として、直流電圧増幅行列の反転を、さらに４つの入力スケーリング係数と乗算することができる。
【００５２】
負荷状況に基づいて、もしくは実験的に求められたＲＦＰＡシステム１０４の直流電圧増幅行列に基づいて、相応の情報１０６がルックアップテーブル１０５へ伝達され、このテーブルに基づき情報１０６が、コントローラ１０１および１０２に対応するセッティングに変換される。有利であるのは、無負荷測定ないしは開ループ測定において、および／または検査実行中に、これを行うことである。
【００５３】
ＲＦＰＡシステム１０４は出力値ｕiを（たとえば出力電圧として）供給し、それらの出力値はさらに、遅延素子１０７によって遅延された出力値ｄiに変換される。
【００５４】
このようにしてＲＦＰＡシステム１０４は効率的に駆動され、（フィードバック）情報１０６によって、ＲＦＰＡシステムを個々の負荷状況に合わせて最適化して作動させることができるようになる。
【００５５】
この場合、コントローラ１０１は、定常化された状態における制御偏差を低減もしくは除去するために使用される。
【００５６】
コントローラ１０２は、定常化時間を加速し、それによってＭＲＴ撮影におけるタイムラグを改善するために用いられる。
【００５７】
分離コンポーネント１０３はたとえば、スタティックな分離行列とスケーリング行列を含んでおり、これらは４つのチャネル間のクロストークを低減もしくは（少なくとも部分的に）回避する役割を果たす。
【００５８】
様々な負荷状況に対し効率的なＭＲＴ測定を実現し、つまりはＭＲＴシステムのパフォーマンスと効率を改善する目的で、コントローラ１０２に種々のフィードフォワード増幅行列を設けることができ、場合によってはコントローラ１０１のためにそれ相応に整合されたセッティングを行うことができる（ＰＩコントローラのパラメータ設定）。これらは情報１０６に応じて選定され、さらに情報１０６自体は個々の負荷状況に応じて求められたものである。つまり情報１０６を、コントローラ１０１，１０２の適切なセッティングを含むルックアップテーブル１０５のエントリのアドレッシングに用いることができる。ついでコントローラ１０１，１０２に対し、上述のセッティングが行われる。
【００５９】
このようにしてＲＦＰＡシステム１０４の負荷に依存して、ルックアップテーブル１０５を用いて適切な増幅率を選定することができる。したがって必要とされる高速の定常化時間を、そのつど具体的な負荷状況に応じて達成することができ、それと同時に高品質の撮影を保証することができる。
【００６０】
特にＲＦＰＡシステムを、たとえば予め定められた以下のような規定が満たされるようにセッティングすることができる：
１）１つのステップ応答に対し、（目標値の前後たとえば５％のレベルの許容幅に達するための）定常時間を、（定常偏差成分を含めないで）１０ｍｓよりも短くする。
２）増幅器出力端の予め定められた最大電圧を超過しない。
３）様々な負荷状況に対して規定１），２）を遵守する。その際、これらの負荷状況はたとえば、様々な患者およびその検査対象器官ならびにＭＲＴ検査における種々のポジションに相応する。
【００６１】
このような負荷状況は、種々のファクタに左右される可能性がある。たとえば被検領域と関連させて、患者のサイズを推定することができる。このような推定にあたり、以下のパラメータのうち少なくとも１つのパラメータを考慮することができる：
−患者の体重
−たとえば検査台のポジションおよび／または検査台上の患者のポジション（たとえば俯せ／仰向け、右側臥位／左側臥位等）に応じた被検領域
−無負荷測定（開ループ測定とも称する）。
【００６２】
無負荷測定中、負荷に依存する実際のシステム特性を測定することができ、閉ループ制御のパラメータを、最適化されたダイナミックなシステム応答が達成されるように調節することができる。
【００６３】
この無負荷測定に続いて、患者の本来の検査（ＭＲＴ測定）が行われる。
【００６４】
図２には、２チャネル型ＭＲＴシステムの概略図が示されている。
【００６５】
目標値ｓｗ1は伝播時間コンポーネント２０１と加算素子２０３とへ供給され、伝播時間コンポーネント２０１の出力結果は加算素子２０７へ供給される。加算素子２０７の出力結果は、スイッチ２１８を介してループフィルタ２０５へ、さらには加算素子２０３へと供給される。加算素子２０３の出力つまり目標値ｓｗ1とループフィルタ２０５の出力値との加算結果は、分離コンポーネント２０９へ供給される。
【００６６】
目標値ｓｗ2は伝播時間コンポーネント２０２と加算素子２０４とへ供給され、伝播時間コンポーネント２０２の出力結果は加算素子２０８へ供給される。加算素子２０８の出力結果は、スイッチ２１９を介してループフィルタ２０６へ、さらには加算素子２０４へと供給される。加算素子２０４の出力つまり目標値ｓｗ2とループフィルタ２０６の出力値との加算結果は、やはり分離コンポーネント２０９へ供給される。
【００６７】
このようにして分離コンポーネント２０９を介して、目標値ｓｗ1から修正された（目標）値ｓｗ1′が生じ、同様に目標値ｓｗ2から修正された（目標）値ｓｗ2′が生じる。
【００６８】
値ｓｗ1′は、ディジタル／アナログ変換器２１０と増幅器２１２とを介して、処理ユニット２１４へ供給される。同様に値ｓｗ2′は、ディジタル／アナログ変換器２１１と増幅器２１３とを介して、処理ユニット２１４へ供給される。
【００６９】
処理ユニット２１４から、到来波ａ1およびａ2が長さｌBCのケーブルを介して、ボディコイル２１７へ伝達される。ボディコイル２１７は処理ユニット２１４へ、到来波ｂ1およびｂ2もしくは電圧値ｕBC1およびｕBC2を供給する。
【００７０】
処理ユニット２１４からアナログ／ディジタル変換器２１５を介して、測定されたディジタル実際値として電圧ｕBC1が加算素子２０７へ供給されて、伝播時間コンポーネント２０１の出力値から減算される。同様に処理ユニット２１４からアナログ／ディジタル変換器２１６を介して、測定されたディジタル実際値として電圧ｕBC2が加算素子２０８へ供給されて、伝播時間コンポーネント２０２の出力値から減算される。
【００７１】
図２の目標値は、実数部と仮数部とを含む複素信号である。
【００７２】
修正された目標値ｓｗ1′およびｓｗ2′は、図１に示した値から以下のようにして得られる：
ｓｗ1′＝ｐ1＋ｉ * ｐ2
ｓｗ2′＝ｐ3＋ｉ * ｐ4
【００７３】
求められた出力電圧ｕBC1およびｕBC2（ボディコイル２１７における電圧）は、図１に示した値から以下のようにして得られる：
ｕBC1＝ｕ1＋ｉ * ｕ2
ｕBC2＝ｕ3＋ｉ * ｕ4
入力変量と出力変量との関係を、２ｘ２の複素行列Ｋ（結合行列）によって記述することができる：
【数１】
2014528296.tif 000003
【００７４】
行列Ｋは、ボディコイル２１７の負荷状況と、電力増幅器の出力反射係数ｒQ1およびｒQ2とに依存し、本来の検査（撮影）前の無負荷測定ないしは開ループ測定（適合）の際に決定される。
【００７５】
無負荷測定を以下のようにして行うことができる：
−組み込まれたボディコイルの散乱行列を求め、行列Ｋを電力増幅器の推定された出力反射係数に基づき求める。このアプローチが特に適している理由は、散乱行列がＳＡＲ監視（SAR: specific absorption rate 比吸収率）にも必要とされ、それゆえ事前に求められるからである。つまりこれによって、計算および通信に必要とされる余分な手間ないしはコストが僅かになる。
−行列Ｋをじかに求める。この場合、有利には電力増幅器の実際の特性が考慮される。スタティックな分離とスケーリングのために、行列Ｋの反転を利用することができ（図１の分離コンポーネント１０３も参照）、これによってＭＲＴシステムの最適化されたダイナミックな測定を実現することができる。
【００７６】
以下の説明は、たとえばボディコイルにおける電圧ｕBCに基づく閉ループ制御についてもはてはまる。これは例示した制御量に相応する。別の選択肢として、あるいはこれに加えて、たとえば到来波を制御量として使用することもできる。
【００７７】
処理ユニット２１４自体においてさらに別の結合が行われず、このユニット自体に固有反射が（ほぼ）ないかぎり、到来波は以下の通りとなる：
【数２】
2014528296.tif 000004
ここでτi（ｉ＝１，２）は、目標値ｓｗi′と、ボディコイル２１７の散乱行列の較正平面
【数３】
2014528296.tif 000005
との間における個々の経路伝送を、較正平面と（同様に較正平面に変換された）電力増幅器の（非線形の）反射係数ｒQiに関連づけて記述するものである。
【００７８】
したがって到来波からボディコイル２１７の散乱係数を介して、以下のように送出波が得られる：
【数４】
2014528296.tif 000006
【００７９】
伝送位相
【数５】
2014528296.tif 000007
であれば、
【数６】
2014528296.tif 000008
となり、したがって、
【数７】
2014528296.tif 000009
となる。
【００８０】
有利には分離行列Ｄによって、無負荷測定時（すなわち開ループ動作中）に次式が成り立つことが保証されることになる：
【数８】
2014528296.tif 000010
これにより条件として
Ｄ＝Ｋ-1
が得られる。
【００８１】
このようにして分離された区間の閉ループが閉じられると、双方が互いに独立して動作する。殊にこのことは、振幅の大きさが、非線形の出力反射係数が分離の基礎を成す小信号値とは異なるようなレベルになるまで該当する。
【００８２】
特定の境界条件のもとで起こり得るのは、行列Ｋを反転できなかったり、あるいは反転が少なくとも数値的に不安定になったりすることである。このことは、ゼロまたは少なくともきわめてゼロに近い値の行列Ｋの行列式において現れる。
【００８３】
物理的に見ると、電圧ｕBC2はこのケースでは、両方の励起信号の組み合わせとは無関係に、単一の複素係数においてのみ、電圧ｕBC1とは異なる。有利にはこのようなケースは実践では回避される。なぜならば、さもないと動作中に散乱行列が著しく僅かに変化したときに、あるいは出力反射係数が強度の変調によって変化したときに、システムが不安定になってしまうからである。
【００８４】
閉じた式で表した分離行列
【数９】
2014528296.tif 000011
からわかるのは、共通分母の項がゼロになってはならないこと、この条件は出力反射係数には依存せず、ボディコイルの散乱行列と、ボディコイルの電圧面に対する電気的長さｌBCとにのみ依存する、ということである。
【００８５】
したがって分離行列Ｄを求めるために、以下のパラメータが既知であると有利である：
−較正平面に関するボディコイルの散乱行列（これは負荷状況ごとに測定可能）。
−電力増幅器の小信号出力反射係数を較正平面に変換する（これはたとえば一回測定することができる）。
−較正平面と、ボディコイルにおける電圧の基準面との間の長さｌBC（これはたとえば構造的な事前設定でありそれ相応に受け入れ可能）。
【００８６】
無負荷測定の効率を、
−周波数
−波形および／または
−少なくとも１つの後続のパルス（もしくは信号）の大きさ
を考慮して、パラメータを適合ないしは推定するようにして高めることができる。
【００８７】
すでに説明したように、この無負荷測定に続いて患者の本来の検査（ＭＲＴ測定）が行われる。この場合、ＭＲＴ測定は、事前の較正（無負荷測定）中に場合によっては考慮または補償されなかった時間的変動を受ける可能性がある。ただしＭＲＴ測定中であってもシステムパラメータの変化を検出することができ、これはシステムパラメータを無負荷測定におけるＲＦＰＡの入力変量および出力変量と比較することによって行われる。このような付加的な情報に基づきＭＲＴ測定自体が行われている間、パラメータを適応的に追従制御（調整）することができる。たとえば、接続されたアンテナを介して増幅器チャネルに発生する位相のずれを、フィードバックループとフィードフォワードコントローラを用いて補償することができる。この種の（たとえば連続的な）適応化によって、閉ループ制御のダイナミックな特性を（ＭＲＴ測定中も）持続的に改善することができる。
【００８８】
このようにこれまで述べてきたアプローチによって、ＲＦＰＡシステムの（たとえば増幅の）フレキシブルかつダイナミックな設定ならびに追従制御が可能となり、しかもこれを実際の負荷状況に応じて行うことができる。この場合、負荷状況はたとえば、患者の体重、検査台のポジション、検査台上の患者のポジション、検査すべき器官、先行の測定データ、ならびにＭＲＴ測定実行中に発生する他のパラメータに左右される可能性がある。
【００８９】
これまで本発明を、少なくとも１つの実施例に基づき図面に示しながら詳しく説明してきたが、本発明はこの実施例に限定されるものではなく、当業者であれば本発明の権利範囲を逸脱することなく、さらに別の実施形態を導き出すことができる。
【符号の説明】
【００９０】
１０１  負荷に依存するコントローラ（４つのＳＩＳＯ型ＰＩコントローラを含む）
１０２  負荷に依存するフィードフォワードコントローラ
１０３  分離コンポーネント
１０４  ＲＦＰＡシステム
１０５  ルックアップテーブル
１０６  （負荷状況に依存する）情報
１０７  遅延素子
２０１  伝播時間コンポーネント
２０２  伝播時間コンポーネント
２０３  加算素子
２０４  加算素子
２０５  ループフィルタ
２０６  ループフィルタ
２０７  加算素子
２０８  加算素子
２０９  分離コンポーネント
２１０  ディジタル／アナログ変換器
２１１  ディジタル／アナログ変換器
２１２  増幅器
２１３  増幅器
２１４  処理ユニット
２１５  アナログ／ディジタル変換器
２１６  アナログ／ディジタル変換器
２１７  ボディコイル
２１８  スイッチ
２１９  スイッチ
【図１】
2014528296.tif 000012
【図２】
2014528296.tif 000013
【国際調査報告】
2014528296.tif 000014
2014528296.tif 000015
2014528296.tif 000016
2014528296.tif 000017
2014528296.tif 000018
2014528296.tif 000019
2014528296.tif 000020